(57)【要約】【課題】作溝ディスクの回転動作によって舞上がった土が播種溝に積って播種溝が浅くなることを防止し、播種溝に播かれた種子の深さを所望のものとすることができる播種装置を提供する。【解決手段】圃場に種子を播く播種装置１であって、種子を収納するホッパ９と、ホッパ９内の種子を繰出す繰出部６と、繰出部６から繰出された種子の植付け位置とされる圃場の溝である播種溝を作成する一対の作溝ディスク８・８と、播種溝を作成するときに作溝ディスク８の回転動作によって舞上がった圃場の土が作成した播種溝に積ることを防止する戻り土防止板１１を備えるものとする。【選択図】図１
2019170185.tif 000002
【特許請求の範囲】
【請求項１】
圃場に種子を播く播種装置であって、 
前記種子を収納するホッパと、
前記ホッパ内の種子を繰出す繰出部と、
前記繰出部から繰出された種子の植付け位置とされる前記圃場の溝である播種溝を作成する一対の作溝ディスクと、
前記播種溝を作成するときに前記作溝ディスクの回転動作によって舞上がった前記圃場の土が前記作成した播種溝に積ることを防止する戻り土防止板を備える、
播種装置。
【請求項２】
前記繰出部は、前記種子を繰出す部分である繰出口が下部に設けられ、
前記戻り土防止板は、前記作溝ディスクから前記繰出部の繰出口に亘るように配置される、
請求項１に記載の播種装置。
【請求項３】
前記戻り土防止板における前記作溝ディスク側端部は、前記作溝ディスク間に配置される、
請求項１または請求項２に記載の播種装置。
【発明の詳細な説明】
【技術分野】
【０００１】
本発明は、播種装置の技術に関する。
【背景技術】
【０００２】
従来、トラクタまたは管理機等の走行装置の後部に配置されて、圃場に種子を播く装置である播種装置に関する技術は公知となっている（特許文献１参照）。前記播種装置には、種子を収納するホッパと、ホッパ内の種子を繰出す繰出部と、播種溝（繰出部から繰出された種子の植付け位置とされる圃場の溝）を作成する一対の作溝ディスクとを備えるものがある。
【先行技術文献】
【特許文献】
【０００３】
【特許文献１】特開２０１７−１６３８９３号公報
【発明の概要】
【発明が解決しようとする課題】
【０００４】
ここで、播種作業を行う際には、播種溝の深さは種子の植付け深さとして想定されて、播種作業が行われる。もっとも、前記播種装置では、播種溝を作成するときに作溝ディスクの回転動作によって土が舞上がり、当該舞い上がった土が播種溝に積って播種溝が浅くなる場合がある。そして、このように播種溝が浅くなると、播種溝に播かれた種子の深さが所望のものとならない（種子の深さが浅くなる）場合がある。
【０００５】
本発明は以上の如き状況に鑑みてなされたものであり、作溝ディスクの回転動作によって舞上がった土が播種溝に積って播種溝が浅くなることを防止し、播種溝に播かれた種子の深さを所望のものとすることができる播種装置を提供することを課題とする。
【課題を解決するための手段】
【０００６】
本発明の解決しようとする課題は以上の如くであり、次にこの課題を解決するための手段を説明する。
【０００７】
即ち、請求項１においては、圃場に種子を播く播種装置であって、前記種子を収納するホッパと、前記ホッパ内の種子を繰出す繰出部と、前記繰出部から繰出された種子の植付け位置とされる前記圃場の溝である播種溝を作成する一対の作溝ディスクと、前記播種溝を作成するときに前記作溝ディスクの回転動作によって舞上がった前記圃場の土が前記作成した播種溝に積ることを防止する戻り土防止板を備えるものである。
【０００８】
請求項２においては、前記繰出部は、前記種子を繰出す部分である繰出口が下部に設けられ、前記戻り土防止板は、前記作溝ディスクから前記繰出部の繰出口に亘るように配置されるものである。
【０００９】
請求項３においては、前記戻り土防止板における前記作溝ディスク側端部は、前記作溝ディスク間に配置されるものである。
【発明の効果】
【００１０】
本発明の効果として、以下に示すような効果を奏する。
即ち、本発明によれば、作溝ディスクの回転動作によって舞上がった土が播種溝に積って播種溝が浅くなることを防止し、播種溝に播かれた種子の深さを所望のものとすることができる。
【図面の簡単な説明】
【００１１】
【図１】本発明の実施形態に係る播種装置及び作業機装着装置を示す側面図。
【図２】同じく播種装置を示す側面図。
【図３】同じく播種装置を示す部分背面図。
【図４】同じく播種装置の作溝部を示す部分斜視図。
【発明を実施するための形態】
【００１２】
次に、本発明の実施形態に係る播種装置１について、図１から図４を用いて説明する。なお、以下において白色矢印Ｆは播種装置１の前方（走行装置の進行方向）であるものとして説明する。
【００１３】
図１に示すように、播種装置１は、圃場に種子を播く装置であり、トラクタまたは管理機等の走行装置の後部に付設される作業機装着装置２０に設けられる。
作業機装着装置２０は、油圧式の昇降機構を介して走行装置の後輪の後方に昇降可能に支持される。作業機装着装置２０の前後中途部には、走行装置の進行方向と直交する方向に取付ビーム２１が支持されている。作業機装着装置２０の前部には条単位毎の耕耘装置等の作業機２２が設けられ、後部には鎮圧ローラ２３が設けられている。
取付ビーム２１は断面が略方形の鋼パイプにより構成されており、取付ビーム２１の周囲に、条単位毎の播種装置１の取付金具２が播種装置１のユニットの先端部の一部として装着されている。そして、多数条の播種装置１のユニットが取付ビーム２１に装着されることにより、多条播種機が構成されている。作業機装着装置２０は、播種装置１の後方に覆土板を設ける構成とすることもできる。
【００１４】
図２乃至図４に示すように、播種装置１は、取付金具２と、リンク部３と、吊体４と、フレーム５と、繰出部６と、アーム７と、作溝ディスク８と、ホッパ９と、支持部１０と、戻り土防止板１１とを備える。
播種装置１では、作溝ディスク８と戻り土防止板１１とで作溝部を構成する。作溝部は、播種装置１において播種溝を作成するときに関連する。播種溝は、繰出部６から繰出された種子の植付け位置とされる圃場の溝である。播種溝の深さは種子の植付け深さとして想定されて、播種作業が行われる。
【００１５】
取付金具２には、リンク部３が設けられ、リンク部３の後端部には吊体４が設けられる。吊体４は、播種装置１を上下平行移動するように支持している。
フレーム５の上方には種子を繰出す繰出部６が設けられ、繰出部６の上部には種子を収納するホッパ９が設けられる。繰出部６は、内部に目皿が設けられ、種子を繰出す部分である繰出口６ａが下部に設けられ、走行装置を走行させながら目皿が回転動作を行うことによって、繰出口６ａから種子を点播可能に構成される。繰出部６の繰出口６ａの下端（繰出部６の種子の繰出位置）は、圃場から１００ｍｍ以上１５０ｍｍ以下程度の高さに設定される。
【００１６】
繰出部６の前方には、吊体４から下方に延出するアーム７を介して、左右一対の作溝ディスク８・８が設けられる。作溝ディスク８は、圃場に播種溝を作成するものであり、回転可能に構成される。作溝ディスク８の後端同士の幅が前端同士の幅に比べて広くなるように回転軸が傾斜する構成とされて、作溝ディスク８間に詰まった土等が作溝ディスク８が回転して後方に位置するときに脱落し易くされている。
【００１７】
フレーム５の下方には、支持部１０を介して左右一対の戻り土防止板１１が設けられる。戻り土防止板１１は、播種溝を作成するときに作溝ディスク８の回転動作によって舞上がった圃場の土が作成した播種溝に戻って積ることを防止する。
戻り土防止板１１は、弾性変形可能な平板状の部材であり、例えば、厚さが約３ｍｍの軟質の樹脂素材で構成される。戻り土防止板１１は、土が付着することを抑制するために、摩擦係数が比較的低い素材（例えば、ニューライト）で構成されることが好ましい。
戻り土防止板１１は、作溝ディスク８から繰出部６の繰出口６ａに亘るように配置される。戻り土防止板１１は、作溝ディスク８の後方（作溝ディスク８の回動軸の後方）に配置される。戻り土防止板１１は、繰出部６の繰出口６ａの下方において左右に配置される。
【００１８】
以上のように、戻り土防止板１１は、播種溝を作成するときに作溝ディスク８の回転動作によって舞上がった圃場の土が作成した播種溝に積ることを防止することから、作溝ディスク８の回転動作によって舞上がった土が播種溝に積って播種溝が浅くなることを防止し、播種溝に播かれた種子の深さを所望のものとすることができる。
【００１９】
以上のように、戻り土防止板１１は、作溝ディスク８から繰出部６の繰出口６ａに亘るように配置されることから、播種溝を作成するときに作溝ディスク８の回転動作によって舞上がった圃場の土が作成した播種溝に積ることをより確実に防止することができる。
【００２０】
以上のように、戻り土防止板１１は、作溝ディスク８の後方（作溝ディスク８の回動軸の後方）に配置され、繰出部６の繰出口６ａの下方に配置されることから、播種溝を作成するときに作溝ディスク８の回転動作によって舞上がった圃場の土が作成した播種溝に積ることをより確実に防止することができる。
【００２１】
戻り土防止板１１の前端部は、若干内側に変形させてその外側面を作溝ディスク８の後部内側面に当接させるようにして、作溝ディスク８・８間（作溝ディスク８の回動軸の後下方）に配置される。
このように、戻り土防止板１１の前端部は作溝ディスク８・８間に配置されることから、播種溝を作成するときに作溝ディスク８の回転動作によって舞上がった圃場の土が作成した播種溝に積ることをより確実に防止することができる。
なお、戻り土防止板１１は、戻り土防止板１１が作溝ディスク８に当接することによって作溝ディスク８の回転動作を阻害せず、且つ、作溝ディスク８の回転動作によって舞上がった圃場の土が接触しても割れ等の破損が生じない程度の硬さで構成されることが好ましい。
【００２２】
戻り土防止板１１は、前上部と前下部とがそれぞれ切欠かれて、前端が尖るように構成される。戻り土防止板１１の前上部の切欠きは、前下部の切欠きに比べて大きく構成される。
このように、戻り土防止板１１が前上部または前下部の切欠きを備えることによって、戻り土防止板１１を備える構成であっても、作溝ディスク８に付着した土をそぎ落とすスクレイパーを作溝ディスク８・８間に容易に配置することができる。
【００２３】
戻り土防止板１１は、ボルトとナット等の固定具１２によって高さ調節可能（上下方向の位置を調節可能）に支持部１０を介してフレーム５に取付けられる。
戻り土防止板１１は、支持部１０に固定される。
支持部１０は水平方向に張り出す張出部１０ａ・１０ｂを前後に備える。張出部１０ａ・１０ｂは固定具１２が挿通される貫通孔をそれぞれ有する。
フレーム５は水平方向に張り出す張出部５ａ・５ｂを前後に備える。張出部５ａ・５ｂは固定具１２が挿通される貫通孔をそれぞれ有する。
張出部５ａの貫通孔と張出部１０ａの貫通孔に固定具１２を挿通し、また、張出部５ｂの貫通孔と張出部１０ｂの貫通孔に固定具１２を挿通した状態で、支持部１０（戻り土防止板１１）を所望の高さにして固定具１２によって締め付ける。このようにして支持部１０（戻り土防止板１１）を所望の高さ（位置）に固定する。支持部１０（戻り土防止板１１）の高さを変更するときには、固定具１２を緩めて、支持部１０（戻り土防止板１１）を所望の高さに移動させて固定具１２によって締め付ける。
このように、戻り土防止板１１が高さ調節可能に構成されることから、圃場の質（例えば、圃場が粘土質または硬質等）に応じて戻り土防止板１１の高さを変更して、作溝ディスク８の回転動作によって舞上がった圃場の土が作成した播種溝に積ることより確実に防止することができる土調整板の高さとすることができる。
【符号の説明】
【００２４】
１    播種装置
２    取付金具
３    リンク部
４    吊体
５    フレーム
６    繰出部
６ａ  繰出口
７    アーム
８    作溝ディスク
９    ホッパ
１０  支持部
１１  戻り土防止板
【図１】
2019170185.tif 000003
【図２】
2019170185.tif 000004
【図３】
2019170185.tif 000005
【図４】
2019170185.tif 000006